(57)【特許請求の範囲】
【請求項１】
端子金具が装着されたハウジング本体と、
前記ハウジング本体に取り付けられて、前記ハウジング本体の前方に突出して配置され、かつ前方から相手ハウジングが嵌合されるフードと、
前記ハウジング本体と前記フードとを合体してなるハウジングが収容されるケースとを備えたコネクタであって、
前記ハウジング本体には、第１突部が形成され、前記フードには、前記合体状態で前記第１突部と並んで配置される第２突部が形成され、
前記ケースには、このケースに前記ハウジングが収容された状態で、前記第１、第２突部の双方に跨って当接することにより、前記ケースに対する前記ハウジング本体及び前記フードの位置ずれを規制する規制部が形成され、
前記第１、第２突部が、全体として前後方向に延出する形態とされ、かつ前記合体状態では前後方向と交差する方向から当接可能に配置され、
前記規制部が、前後方向に延出する形態とされ、かつ前記ケースに前記ハウジングが収容された状態では前記第１、第２突部の双方を前後方向と交差する方向から挟み込むものであり、
前記ハウジング本体と前記フードには、相互に係止し合うことで両者を合体状態に保持するロック機能部が形成され、前記第１、第２突部のいずれかが、前記ロック機能部の一部として形成されていることを特徴とするコネクタ。
【請求項２】
前記ロック機能部の一方が撓み可能なロックアームとされ、前記規制部は、前記ケースに前記ハウジングが収容された状態で、前記ロックアームの撓み方向と対向する位置に配置されることを特徴とする請求項１記載のコネクタ。
【請求項３】
前記ハウジング本体には、プリント回路基板に半田付けされる金属製のペグが取り付けられ、前記ハウジング本体が、前記ペグを介して前記プリント回路基板に固定されることを特徴とする請求項１又は２記載のコネクタ。
【発明の詳細な説明】
【技術分野】
【０００１】
本発明は、コネクタに関する。
【背景技術】
【０００２】
特許文献１には、従来のコネクタが開示されている。このコネクタは、端子金具が装着されるハウジング本体と、ハウジング本体に取り付けられ、ハウジング本体の前方に突出して配置されるフードとを備えている。ハウジング本体には係止突起が形成され、フードには係止孔が形成されている。フード部がハウジング本体にスライドされると、係止突起が係止孔に嵌合係止され、これによってフードとハウジング本体との合体状態が保持されるようになっている。
【先行技術文献】
【特許文献】
【０００３】
【特許文献１】特許第４１４９５５３号公報
【発明の概要】
【発明が解決しようとする課題】
【０００４】
ところで、ハウジング本体がフードに合体された状態でケースに収容されることがある。この場合、フードに対して相手ハウジングが正規の嵌合姿勢から傾いたこじり姿勢で嵌合されようとすると、そのこじり力によってフードがハウジング本体に対して正規の取付位置から位置ずれし、ひいてはフードがケースと干渉して変形・破損するおそれがある。
【０００５】
また、ケースにプリント回路基板が取り付けられ、ハウジング本体から導出される端子金具がプリント回路基板の導電路に半田接続される場合に、上記こじり力がハウジング本体側に加わると、プリント回路基板の導電路と端子金具との半田接続部分にクラックが入り、最悪の場合、接続不良を起こすおそれもある。
【０００６】
本発明は上記のような事情に基づいて完成されたものであって、ハウジング本体とは別体のフードが変形・破損するのを防止し、さらに、基板用コネクタの場合には半田接続部分にクラックが入るのを阻止することを目的とする。
【課題を解決するための手段】
【０００７】
上記の目的を達成するための手段として、請求項１の発明は、端子金具が装着されたハウジング本体と、前記ハウジング本体に取り付けられて、前記ハウジング本体の前方に突出して配置され、かつ前方から相手ハウジングが嵌合されるフードと、前記ハウジング本体と前記フードとを合体してなるハウジングが収容されるケースとを備えたコネクタであって、前記ハウジング本体には、第１突部が形成され、前記フードには、前記合体状態で前記第１突部と並んで配置される第２突部が形成され、前記ケースには、このケースに前記ハウジングが収容された状態で、前記第１、第２突部の双方に跨って当接することにより、前記ケースに対する前記ハウジング本体及び前記フードの位置ずれを規制する規制部が形成され、前記第１、第２突部が、全体として前後方向に延出する形態とされ、かつ前記合体状態では前後方向と交差する方向から当接可能に配置され、前記規制部が、前後方向に延出する形態とされ、かつ前記ケースに前記ハウジングが収容された状態では前記第１、第２突部の双方を前後方向と交差する方向から挟み込むものであり、前記ハウジング本体と前記フードには、相互に係止し合うことで両者を合体状態に保持するロック機能部が形成され、前記第１、第２突部のいずれかが、前記ロック機能部の一部として形成されているところに特徴を有する。
【００１０】
請求項２の発明は、請求項１に記載のものにおいて、前記ロック機能部の一方が撓み可能なロックアームとされ、前記規制部は、前記ケースに前記ハウジングが収容された状態で、前記ロックアームの撓み方向と対向する位置に配置されるところに特徴を有する。
【００１１】
請求項３の発明は、請求項１又は２に記載のものにおいて、前記ハウジング本体には、プリント回路基板に半田付けされる金属製のペグが取り付けられ、前記ハウジング本体が、前記ペグを介して前記プリント回路基板に固定されるところに特徴を有する。
【発明の効果】
【００１２】
＜請求項１の発明＞
ハウジングがケースに収容されると、規制部が第１、第２突部の双方に跨って当接し、これによってケースに対するハウジング本体及びフードの位置ずれが規制されるため、仮に、フードに対して相手ハウジングがこじり姿勢で嵌合されようとしても、フードがハウジング本体及びケースに対して位置ずれするのが阻止される。その結果、フードが変形・破損するのが防止される。
また、ケースにプリント回路基板が取り付けられ、プリント回路基板の導電路に端子金具が半田接続される基板用コネクタの場合には、上記こじり力がハウジング本体側に加わっても、規制部によってフード及びハウジング本体がケースに一体に保持されていることにより、導電路と端子金具との半田接続部分にクラックが入るのを阻止することができる。
【００１３】
また、第１、第２突部が互いに前後方向に延出する形態とされ、かつ合体状態では前後方向と交差する方向から当接可能に配置され、規制部が互いに前後方向に延出する形態とされ、かつケースにハウジングが収容された状態では第１、第２突部の双方を前後方向と交差する方向から挟み込むため、前後方向と交差する方向から相手ハウジングのこじり力が作用した場合に、フードがハウジング本体及びケースに対して位置ずれするのがより確実に阻止される。
【００１４】
また、ケースにハウジングを収容する過程では、第１、第２突部が規制部に摺接することで、その収容動作が円滑になされる。さらに、基板用コネクタの場合には、半田接続部分にクラックが入るのをより確実に阻止することができる。
【００１５】
さらに、第１、第２突部のいずれかがロック機能部の一部として形成されているため、ロック機能部とは別に形成されるよりもスペース効率に優れる。
【００１６】
＜請求項２の発明＞
ケースにハウジングが収容された状態では規制部がロックアームの撓み方向と対向する位置に配置されるため、ロックアームのロック状態が不用意に解除されるのが回避される。
【００１７】
＜請求項３の発明＞
ハウジング本体の前方にフードが突出する場合、ペグがプリント回路基板にしっかり半田付けされていないと、フードの重みでハウジングが傾き、プリント回路基板にハウジング本体が固定されないおそれがある。その点、本発明によれば、ハウジング本体とフードとが別体とされるため、プリント回路基板にペグを半田付けする際、ハウジングからフードを省略してハウジング本体のみにすることが可能となり、そうすることでハウジングの傾きが防止されて、プリント回路基板にハウジング本体が固定されない事態を回避できる。
【図面の簡単な説明】
【００１８】
【図１】本発明の実施形態１に係るコネクタの正面図である。
【図２】図１のＸ−Ｘ断面図である。
【図３】ハウジングの平面図である。
【図４】ハウジングの底面図である。
【図５】ハウジングの側面図である。
【図６】ハウジングの断面図である。
【図７】ケースの正面図である。
【図８】ハウジング本体の側面図である。
【図９】ハウジング本体の背面図である。
【図１０】ハウジング本体の底面図である。
【図１１】ハウジング本体の断面図である。
【図１２】フードの断面図である。
【図１３】フードの側面図である。
【図１４】フードの平面図である。
【図１５】フードの底面図である。
【図１６】実施形態２に係るコネクタの正面図である。
【図１７】図１６のＹ−Ｙ断面図である。
【図１８】ハウジングの側面図である。
【図１９】ケースの正面図である。
【図２０】フードの側面図である。
【図２１】フードの断面図である。
【図２２】実施形態３に係るコネクタの背面図である。
【図２３】図２２のＺ−Ｚ断面図である。
【発明を実施するための形態】
【００１９】
＜実施形態１＞
本発明の実施形態１を図１ないし図１５によって説明する。実施形態１に係るコネクタは、合成樹脂製のハウジング１０と、ハウジング１０を収容する合成樹脂製のケース８０とを備える。ハウジング１０は、互いに別体のハウジング本体２０とフード５０とからなり、ハウジング本体２０には端子金具１００が挿入されている。また、フード５０内には図示しない相手ハウジングが嵌合可能とされている。なお、以下の説明において前後方向については、相手ハウジングに対する嵌合面側を前方とする。
【００２０】
ハウジング本体２０は、図８ないし図１０に示すように、幅方向に細長い略角ブロック状の端子装着部２１と、端子装着部２１の幅方向両端から後方に突出する一対の側壁部２２とを有している。端子装着部２１には、複数の端子金具１００が装着されている。
【００２１】
端子金具１００は導電金属製であって、全体として細長い棒状をなしている。図６に示すように、端子金具１００の長さ方向中間部は、ハウジング本体２０内に圧入される装着部１０１とされ、端子金具１００の前部は、ハウジング本体２０の前面から前方へ突出して図示しない相手端子金具と接続可能な相手端子接続部１０２とされ、端子金具１００の後部は、ハウジング本体２０の後面から後方へ突出してプリント回路基板２００の導電路と接続可能な基板接続部１０３とされている。基板接続部１０３の先端部は、プリント回路基板２００の表面に沿って半田付けされる。
【００２２】
端子装着部２１の上面には、図３に示すように、一対の上側ロック部２３が突出して形成されている。両上側ロック部２３は、端子装着部２１の幅方向中央を挟んだ両側に配置されている。また、端子装着部２１の下面には、３つの下側ロック部２４が突出して形成されている。各下側ロック部２４は、端子装着部２１の幅方向中央とその中央を挟んだ両側に配置されている。そして、端子装着部２１の幅方向両端側の略下半部は、略上半部よりも幅広とされ、ここに一対の位置決め孔２５が形成されている。両位置決め孔２５は、前後方向に細長く延出して端子装着部２１の前面に開口する形態とされている（図１０を参照）。
【００２３】
両側壁部２２は、端子金具１００の基板接続部１０３の幅方向両側を覆うように配置され、基板接続部１０３を両側方から保護する役割をはたす。そして、両側壁部２２の外面には、ペグ３００が取り付けられる一対の取付溝２６が高さ方向（上下方向）に形成されている。ペグ３００は、ほぼＬ字形の金属板であって、取付溝２６内に圧入保持される部分と、プリント回路基板２００の表面に沿って半田付けされる部分とを有する。ハウジング本体２０は、ペグ３００を介してプリント回路基板２００に固定されるようになっている。
【００２４】
両側壁部２２の外面には、後述するロックアーム５６が嵌合可能な嵌合溝２７が前後方向に形成されている。そして、両側壁部２２の外面において嵌合溝２７の底面の高さ方向略中央部には、一対のロック部２８が突出して形成されている。また、両側壁部２２の外面には、両ロック部２８より上方に、一対の第１突部２９が両側方に突出して形成されている。両第１突部２９は、前後方向に延出して嵌合溝２７の上縁を仕切る形態とされている。そして、両第１突部２９の上面は、側壁部２２の上面とほぼ面一で連続して配置されている。
【００２５】
フード５０は、図１２ないし図１５に示すように、幅方向に長い略角筒状をなし、前後両方向に貫通する形態とされている。そして、フード５０は、ハウジング本体２０に対して前方から取り付けられ、取り付け状態では、ハウジング本体２０の前面より前方に突出して、各端子金具１００の相手端子接続部１０２の周囲を覆うようになっている。
【００２６】
フード５０の上壁の上面には、一対のロック突起５１が幅方向に並んで形成されている。フード５０内に相手ハウジングが嵌合されると、ロック突起５１に相手ハウジングのロック部分が係止され、これによって両ハウジングが嵌合状態に保持されるようになっている。
【００２７】
そして、フード５０の上壁の後端には、上側ロック片５２が後方へ突出して形成されている。上側ロック片５２は、フード５０の上壁の後端に沿った矩形板状をなし、上壁の後端を支点として高さ方向に撓み変形可能とされている。上側ロック片５２には、一対の上側ロック孔５３が幅方向に並んで形成されている。
【００２８】
また、フード５０の下壁の後端には、下側ロック片５４が後方へ突出して形成されている。下側ロック片５４は、フード５０の下壁の後端に沿った、上側ロック片５２よりも幅広の矩形板状をなし、下壁の後端を支点として高さ方向に撓み変形可能とされている。下側ロック片５４には、３つの下側ロック孔５５が幅方向に並んで形成されている。
【００２９】
フード５０がハウジング本体２０に取り付けられる過程では、上側ロック片５２及び下側ロック片５４がそれぞれ上側ロック部２３及び下側ロック部２４と干渉して撓み変形させられる。フード５０が正規の取付位置に至ると、上側ロック片５２及び下側ロック片５４が弾性復帰してそれぞれ端子装着部２１の上下両面に被さり、上側ロック孔５３及び下側ロック孔５５にそれぞれ上側ロック部２３及び下側ロック部２４が嵌り込むようになっている。
【００３０】
また、フード５０の両側壁の後端には、一対のロックアーム５６が後方へ突出して形成されている。ロックアーム５６は、上側ロック片５２及び下側ロック片５４よりも長い突出寸法を有し、フード５０の両側壁の略上半部に配置されている。そして、ロックアーム５６は、両側壁の後端を支点として幅方向（内外）に撓み変形可能とされている。ロックアーム５６には、前後方向に延出して両側壁の後端に臨むロック孔５７が貫通して形成されている。
【００３１】
また、両ロックアーム５６の上端部の外面には、一対の第２突部５８が両側方に突出して形成されている。第２突部５８は、前後方向に延出してロック孔５７の上縁を仕切る形態とされ、ロックアーム５６の前端部（自由端部）に配置されている。フード５０がハウジング本体２０に取り付けられた状態（合体状態）では、第１突部２９に下方から第２突部５８が当接可能（当接又は近接）に配置され、これによって第１、第２突部２９、５８が高さ方向に積み重なった状態となる。
【００３２】
フード５０がハウジング本体２０に取り付けられる過程では、ロックアーム５６がロック部２８に乗り上げられて外側に撓み変形させられる。フード５０が正規の取付位置に至ると、ロックアーム５６が弾性復帰して嵌合溝２７内に嵌合され、かつロック部２８がロック孔５７に嵌り込む。
【００３３】
上記のように、上側ロック片５２、下側ロック片５４、及びロックアーム５６がそれぞれ上側ロック部２３、下側ロック部２４、及びロック部２８に四方から弾性的に係止されることにより、フード５０がハウジング本体２０に対して合体状態に保持される。
【００３４】
フード５０の両側壁の後端下縁部には、一対の位置決めピン５９が後方へ突出して形成されている。位置決めピン５９は、略円柱状をなし、上側ロック片５２及び下側ロック片５４と同じ突出寸法を有している。フード５０がハウジング本体２０に取り付けられる過程では、位置決めピン５９が位置決め孔２５に前方から嵌合状態で挿入され、これによってフード５０の取付姿勢が正規姿勢に保たれるようになっている。
【００３５】
また、フード５０の上側２角の後端には、一対の案内壁６１が形成されている。両案内壁６１は、上側ロック片５２の幅方向両側外方からロックアーム５６の上縁部にかけて回曲する形態とされ、ロックアーム５６の基端部に一体に連結されている。フード５０がハウジング本体２０に取り付けられる過程では、両案内壁６１の内側にハウジング本体２０の上側２角が摺動することで、その取り付け動作が案内されるようになっている。
【００３６】
続いてケース８０について説明すると、ケース８０は、図１及び図２に示すように、前方のみに開口するボックス状をなし、その内部に、ハウジング１０がプリント回路基板２００とともに挿入可能とされている。ケース８０の上端部は、ハウジング本体２０の上端部を収容する第１収容部８１とされ、ケース８０の下端部は、ハウジング本体２０の上端部を除く部分を収容する第２収容部８２とされている。第１収容部８１は、第２収容部８２より奥行き寸法が小さくされ、その後面が第２収容部８２の上面に段付き状に連なっている。
【００３７】
第２収容部８２の両側内面には、一対の基板ガイド溝８３が形成されている。両基板ガイド溝８３は、前後方向に延出して前方に開口する形態とされ、ここに前方からプリント回路基板２００の幅方向両端縁がスライド装着される。
【００３８】
第１収容部８１の上壁の内面には、ハウジング１０を抜け止めするための一対の抜止部８４が突出して形成されている。また、ケース８０の両側内面のうち、第１、第２収容部８１、８２の間には、一対の突条部８５が内側へ略水平に突出して形成されている。両突条部８５は、第１収容部８１の前後方向の略全長に亘って延出する形態とされている。そして、ケース８０の両側内面には、両突条部８５、第１収容部８１の両側壁、及び第１収容部８１の上壁によって区画される一対の規制部８６が形成されている。規制部８６は、前後方向に延出して前方及び内方に開口するレール状の形態とされ、ここに前方から積層状態にある第１、第２突部２９、５８が適合して挿入可能とされている。
【００３９】
次に、本実施形態に係るコネクタの作用効果を説明する。
まず、プリント回路基板２００の表面にハウジング本体２０を載せ、その状態で、プリント回路基板２００及びハウジング本体２０を図示しないリフロー槽内に通し、プリント回路基板２００にペグ３００及び端子金具１００を半田接続する。この場合、ハウジング本体２０にフード５０が取り付けられていないため、リフロー槽内においてハウジング１０がフード５０の重みで前のめりに倒れるのが防止される。
【００４０】
ハウジング本体２０がプリント回路基板２００に半田接続されたら、続いて、ハウジング本体２０に前方からフード５０を取り付ける。ロックアーム５６がロック部２８に弾性的に係止されると、第１、第２突部２９、５８が互いに高さ方向で当接可能に積層して配置される（図５を参照）。なお、こうして第１、第２突部２９、５８が積層された状態では、第２突部５８の突出端が第１突部２９の突出端よりも側方に突出して配置される。また、フード５０はプリント回路基板２００の前端より前方へ突出して配置される。
【００４１】
次いで、上記によってハウジング本体２０とフード５０とが合体されてなるハウジング１０をケース８０に前方から挿入する。挿入の過程では、プリント回路基板２００の幅方向両端縁が基板ガイド溝８３内を摺接するとともに、第１突部２９の上面が規制部８６の内上面を摺動し、かつ第２突部５８の下面が規制部８６の内下面を摺動することにより、ハウジング１０の収容動作が円滑になされる。ケース８０にハウジング１０が正規深さで挿入されると、ハウジング１０の上端部が第１収容部８１の奥壁に当接可能に配置され、かつケース８０の抜止部８４がハウジング１０の段部３１に後方から係止可能に配置され、これによってハウジング１０がケース８０内に抜け止め状態で収容される。また、ケース８０にハウジング１０が正規深さで挿入されると、フード５０がケース８０の前面開口から前方へ突出して配置される（図２を参照）。
【００４２】
ハウジング１０がケース８０内に収容された状態では、規制部８６が第１、第２突部２９、５８の双方に跨って配置され、規制部８６の内側に第１、第２突部２９、５８が適合して遊動規制状態に挿入される。つまり、規制部８６が第１、第２突部２９、５８の双方を高さ方向から挟み込む。具体的には、規制部８６の内上面に第１突部２９の上面が当接又は近接して配置され、規制部８６の内下面に第２突部５８の下面が当接可能に配置され、規制部８６の内側面に第２突部５８の突出端が当接可能に配置される。これにより、ケース８０に対するハウジング本体２０及びフード５０の位置ずれが規制され、ひいてはハウジング本体２０に対するフード５０の位置ずれが規制される。したがって、ハウジング１０がケース８０内に実質的にがた付きなく収容される。
【００４３】
また、ハウジング１０がケース８０内に収容された状態では、規制部８６の突条部８５がロックアーム５６とその撓み方向で対向する位置に配置され、これによってロックアーム５６の外側への撓み動作が規制される（図１を参照）。なお、ハウジング本体２０にフード５０が正規に取り付けられていない場合には、ロックアーム５６が撓み変形したままの状態となるため、ロックアーム５６の先端部が規制部８６の突条部８５と干渉して、ハウジング１０のケース８０内への挿入動作が規制される。したがって、ハウジング１０がケース８０に収容できるか否かによって、フード５０の取付状態の可否も判断することが可能となる。
【００４４】
その後、フード５０内に前方から相手ハウジングが嵌合される。この場合、仮に、相手ハウジングが正規の嵌合姿勢から傾いたこじり姿勢をとって嵌合されようとすると、フード５０に嵌合方向と交差する向きのこじり力が加わることになる。しかるに本実施形態によれば、第１、第２突部２９、５８が規制部８６に跨嵌されて、ケース８０に対するフード５０の相対変位が規制されるとともに、ハウジング本体２０に対するフード５０の相対変位も規制されるため、フード５０がハウジング本体２０及びケース８０に対して遊動するのが阻止される。したがって、フード５０がケース８０と干渉して変形・破損するのが防止される。
【００４５】
また、相手ハウジングのこじり力がハウジング本体２０に加わっても、規制部８６によってフード５０及びハウジング本体２０がケース８０に一体に保持されているため、プリント回路基板２００の導電路と端子金具１００との半田接続部分にクラックが入るのを阻止することができ、接続信頼性を高めることができる。
【００４６】
また、第１、第２突部２９、５８が互いに前後方向に延出する形態とされ、かつ合体状態では前後方向と交差する高さ方向から当接可能に配置され、規制部８６が互いに前後方向に延出する形態とされ、かつケース８０にハウジング１０が収容された状態では第１、第２突部２９、５８の双方を前後方向と交差する高さ方向から挟み込むように配置されるため、相手ハウジングのこじり力が高さ方向から作用した場合に、ケース８０がハウジング本体２０及びケース８０に対して位置ずれすることをより確実に阻止できる。
【００４７】
また、ケース８０にハウジング１０を収容する過程では、第１、第２突部２９、５８の双方が規制部８６に摺接することで、その収容動作が円滑になされる。しかも、第２突部５８がロックアーム５６の一部として形成されているため、ロックアーム５６とは別に形成されるよりもスペース効率に優れる。
【００４８】
また、ケース８０にハウジング１０が収容された状態では規制部８６がロックアーム５６の撓み方向と対向する位置に配置されるため、規制部８６によってロックアーム５６の撓み動作が規制され、ロックアーム５６のロック状態が不用意に解除されるのが回避される。
【００４９】
なお、ハウジング本体２０の前方にフード５０が突出する場合、ペグ３００がプリント回路基板２００にしっかり半田付けされていないと、フード５０の重みでハウジング１０が傾き、プリント回路基板２００にハウジング本体２０が固定されないおそれがある。しかるに本実施形態によれば、ハウジング本体２０とフード５０とが別体とされるため、上記したように、プリント回路基板２００にペグ３００を半田付けする際に、ハウジング１０からフード５０を省略してハウジング本体２０のみにすることが可能となり、そうすることでハウジング１０の傾きが防止されて、プリント回路基板２００にハウジング本体２０が固定されない事態を回避できる。
【００５０】
＜実施形態２＞
本発明の実施形態２を図１６ないし図２１によって説明する。実施形態２では、フード５０Ａ及びケース８０Ａの構造が実施形態１とは一部異なるが、ハウジング本体２０の構造は実施形態１と同様である。なお、実施形態２において実施形態１と共通する構造には実施形態１と同一の符号を付し、重複する説明は省略する。
【００５１】
フード５０Ａの両側壁の後端上縁部には、実施形態１と同様、一対の案内壁６１が形成され、両案内壁６１の後端からは一対の第３突部６６が後方へ突出して形成されている。両第３突部６６は、ロックアーム５６の上方に配置され、第２突部５８との間に、進入溝６７が形成されている。進入溝６７は、前後方向に延出して後方に開口する形態とされている。また、第３突部６６は、第２突部５８とほぼ同形状でかつ第２突部５８とほぼ同一の突出寸法を有している。
【００５２】
ケース８０Ａの第１収容部８１の両側内面には、図１９に示すように、一対の進入片８９が内側へ略水平に突出して形成されている。両進入片８９は、第１収容部８１の前後方向の略全長に亘って延出する形態とされている。そして、両進入片８９は、両突条部８５と略平行に配置され、両突条部８５よりも小さい突出寸法を有している。規制部８６Ａ内は、両進入片８９が高さ方向中央部に配置されることにより、両進入片８９を境として高さ方向に分割される。
【００５３】
ここで、フード５０Ａがハウジング本体２０に取り付けられると、ハウジング本体２０の第１突部２９が進入溝６７内に適合して挿入される。このとき、第１突部２９は、第２突部５８にその上方から当接可能に配置されるとともに、第３突部６６にその下方から当接可能に配置される（図１８を参照）。
【００５４】
また、ハウジング本体２０とフード５０Ａとが合体されてなるハウジング１０Ａをケース８０Ａに挿入すると、突条部８５の上面に第２突部５８の下面が摺動するとともに、第１収容部８１の上壁内面に第３突部６６の上面が摺動し、かつ進入片８９が進入溝６７内に進入して、ハウジング１０Ａの挿入動作が円滑になされる。このとき、進入溝６７内では、進入片８９の突出端と第１突部２９の突出端とが互いに対向して配置される（図１６を参照）。
【００５５】
ハウジング１０Ａがケース８０Ａに収容された状態では、規制部８６Ａが、第１、第２、第３突部２９、５８、６６を一括して挟み込むとともに、進入片８９が、進入溝６７内に第１突部２９を外方から覆いつつ第２、第３突部５８、６６間を分け入るようにして挿入される。これにより、突条部８５と第２突部５８、第２突部５８と第１突部２９、第１突部２９と第３突部６６、及び第３突部６６と第１収容部８１の上壁が、それぞれ嵌合方向と交差する高さ方向で当接可能に積層して配置される。
【００５６】
実施形態２によれば、ケース８０Ａの規制部８６Ａの高さ寸法（開口高さ）がフード５０Ａにおける第２突部５８の下端と第３突部６６の上端との間の離間距離に応じて決定される。このため、規制部８６Ａの高さ寸法を設定するにあたり、フード５０Ａ側の寸法公差を考慮すれば良いことになり、ハウジング本体２０側の寸法公差を実質的に考慮しなくて済む分、噛み込み構造の寸法精度を高めることができる。
また、実施形態２によれば、進入片８９が進入溝６７内に進入する分、噛み込み構造がより多重になるため、ケース８０Ａ内にハウジング本体２０及びフード５０Ａが遊動規制状態に緊密に保持される。したがって、ハウジング本体２０及びケース８０Ａに対するフード５０Ａの位置ずれが確実に規制される。その他、実施形態２によれば、実施形態１とほぼ同様の効果を享受し得る。
【００５７】
＜実施形態３＞
本発明の実施形態３を図２２及び図２３によって説明する。実施形態３では、フード５０Ｂ、ハウジング本体２０Ｂ、及びケース８０Ｂの構造が実施形態１とは一部異なる。なお、実施形態３において実施形態１と共通する構造には実施形態１と同一の符号を付し、重複する説明は省略する。
【００５８】
フード５０Ｂの両側壁の後端上縁部には、実施形態１と同様、一対の案内壁６１が形成され、両案内壁６１の後端からは一対の第２突部５８Ｂが後方へ突出して形成されている。つまり、第２突部５８Ｂは、実施形態１と違って、ロックアーム５６に形成されていない。両第２突部５８Ｂは、前後方向に延出するとともに、フード５０Ｂの両側壁の外面より両側方へ張り出す形態とされている。
【００５９】
一方、ハウジング本体２０Ｂの両側壁部２２の外面上縁には、一対の第１突部２９Ｂが前後方向に延出して形成されている。両第１突部２９Ｂの高さ方向中央部には挿入溝３５が形成されている。挿入溝３５は、前後方向に延出して第１突部２９Ｂの前後両端に開口する形態とされ、ここに前方から第２突部５８Ｂが挿入可能とされている。
【００６０】
また、ケース８０Ｂの第１収容部８１Ｂの両側内面には、一対の受け溝８８が凹み形成されている。両受け溝８８は、規制部８６Ｂの内側面において前後方向に延出して第１収容部８１Ｂの前面に開口する形態とされている。
【００６１】
ハウジング本体２０Ｂにフード５０Ｂを取り付ける過程では、第１突部２９Ｂの挿入溝３５内に前方から第２突部５８Ｂが挿入され、フード５０Ｂの取付動作が案内される。また、ハウジング１０Ｂがケース８０Ｂ内に収容されると、規制部８６Ｂが第１、第２突部２９Ｂ、５８Ｂの双方に跨って当接し、これによってケース８０Ｂに対するハウジング本体２０Ｂ及びフード５０Ｂの位置ずれが規制される。このとき、第２突部５８Ｂの先端部は受け溝８８内に挿入され、ひいては第２突部５８Ｂは受け溝８８内と挿入溝３５内とに跨って配置される。
【００６２】
実施形態３によれば、ケース８０Ｂの規制部８６Ｂの高さ寸法（開口高さ）がハウジング本体２０Ｂにおける両第１突部２９Ｂの上下端間の離間距離に応じて決定される。このため、規制部８６Ｂの高さ寸法を設定するにあたり、ハウジング本体２０Ｂ側の寸法公差を考慮すれば良いことになり、フード５０Ｂ側の寸法公差を実質的に考慮しなくて済む分、噛み込み構造の寸法精度を高めることができる。その他、実施形態３によれば、実施形態１と同様の効果を享受し得る。
【００６３】
＜他の実施形態＞
本発明は上記記述及び図面によって説明した実施形態に限定されるものではなく、例えば次のような実施形態も本発明の技術的範囲に含まれる。
（１）上記実施形態とは逆に、ロックアームがハウジング本体に形成され、ロック部がフードに形成されるものであってもよい。
（２）第１、第２突部間に隙間が形成されていてもよい。
（３）第１突部がロックアームの一部として形成されるものであってもよい。
（４）実施形態２では、進入片を省略することも可能である。
（５）実施形態３では、両受け溝を省略することも可能である。
【符号の説明】
【００６４】
１０、１０Ａ、１０Ｂ…ハウジング
２０、２０Ｂ…ハウジング本体
２８…ロック部
２９、２９Ｂ…第１突部
５０、５０Ａ、５０Ｂ…フード
５６…ロックアーム
５８、５８Ｂ…第２突部
８０、８０Ａ、８０Ｂ…ケース
８６、８６Ａ、８６Ｂ…規制部
１００…端子金具
２００…プリント回路基板
【図１】
0005708106.tif 000002
【図２】
0005708106.tif 000003
【図３】
0005708106.tif 000004
【図４】
0005708106.tif 000005
【図５】
0005708106.tif 000006
【図６】
0005708106.tif 000007
【図７】
0005708106.tif 000008
【図８】
0005708106.tif 000009
【図９】
0005708106.tif 000010
【図１０】
0005708106.tif 000011
【図１１】
0005708106.tif 000012
【図１２】
0005708106.tif 000013
【図１３】
0005708106.tif 000014
【図１４】
0005708106.tif 000015
【図１５】
0005708106.tif 000016
【図１６】
0005708106.tif 000017
【図１７】
0005708106.tif 000018
【図１８】
0005708106.tif 000019
【図１９】
0005708106.tif 000020
【図２０】
0005708106.tif 000021
【図２１】
0005708106.tif 000022
【図２２】
0005708106.tif 000023
【図２３】
0005708106.tif 000024